(57)【要約】【課題】交流電流の供給により、照明装置の点灯動作をリモートコントロールにて制御可能とする照明システムを実現する技術を提供すること。【解決手段】照明装置と、照明装置の点灯動作を制御する制御信号を送信する送信器とを備えた照明システムであって、照明装置は、光源ランプと、交流電流を直流電流に変換する電源回路と、電源回路より直流電流の供給を受けて動作し、送信器からの制御信号を受信する受光部と、電源回路より直流電流の供給を受けて動作し、受光部が受信した制御信号に応じて光源ランプの点灯動作を制御する点灯制御部と、を備える。【選択図】図１
2009187871.tif 000002
【特許請求の範囲】
【請求項１】
照明装置と、該照明装置の点灯動作を制御する制御信号を送信する送信器とを備えた照明システムであって、
前記照明装置は、
光源ランプと、
交流電流を直流電流に変換する電源回路と、
前記電源回路より直流電流の供給を受けて動作し、前記送信器からの制御信号を受信する受光部と、
前記電源回路より直流電流の供給を受けて動作し、前記受光部が受信した制御信号に応じて前記光源ランプの点灯動作を制御する点灯制御部と、を備える照明システム。
【請求項２】
請求項１に記載の照明システムにおいて、
前記送信器は、複数のチャンネルのいずれかを選択する第１のチャンネル切り替えスイッチを備え、前記第１のチャンネル切り替えスイッチで選択されたチャンネルにより前記制御信号を送信し、
前記照明装置は、前記複数のチャンネルのいずれかを前記制御信号の受信チャンネルとして選択する第２のチャンネル切り替えスイッチを備える、照明システム。
【請求項３】
請求項１または請求項２に記載の照明システムにおいて、
前記光源ランプは交流電流で点灯する、照明システム。
【請求項４】
請求項１または請求項２に記載の照明システムにおいて、
前記光源ランプは前記電源回路から供給される直流電流で点灯する、照明システム。
【請求項５】
請求項３に記載の照明システムにおいて、
前記光源ランプは前記電源回路に供給される交流電流で点灯する、照明システム。
【請求項６】
請求項３に記載の照明システムにおいて、
前記照明装置は、前記電源回路から供給された直流電流を交流電流に変換する点灯回路を備え、前記光源ランプが前記点灯回路から供給される交流電流で点灯する、照明システム。
【請求項７】
請求項６に記載の照明システムにおいて、
前記点灯回路は、前記制御信号に応じて前記光源ランプに供給する交流電流のピーク値が変化するインバータ回路を含む、照明システム。
【請求項８】
請求項３、５、６、７のいずれかに記載の照明システムにおいて、
前記光源ランプが蛍光ランプである、照明システム。
【請求項９】
請求項４に記載の照明システムにおいて、
前記光源ランプがＬＥＤである、照明システム。
【請求項１０】
制御信号を送信する送信器とともに照明システムを構成する照明装置であって、
光源ランプと、
交流電流を直流電流に変換する電源回路と、
前記電源回路より直流電流の供給を受けて動作し、前記送信器からの制御信号を受信する受光部と、
前記電源回路より直流電流の供給を受けて動作し、前記受光部が受信した制御信号に応じて前記光源ランプの点灯動作を制御する点灯制御部と、を備える照明装置。
【請求項１１】
請求項１０に記載の照明装置において、
前記制御信号は、複数のチャンネルのいずれかにより送信されるものであり、
前記複数のチャンネルのいずれかを前記制御信号の受信チャンネルとして選択するチャンネル切り替えスイッチを備える、照明装置。
【請求項１２】
請求項１０または請求項１１に記載の照明装置において、
前記光源ランプが交流電流で点灯する、照明装置。
【請求項１３】
請求項１０または請求項１１に記載の照明装置において、
前記光源ランプが前記電源回路から供給される直流電流で点灯する、照明装置。
【請求項１４】
請求項１２に記載の照明装置において、
前記光源ランプが前記電源回路に供給される交流電流で点灯する、照明装置。
【請求項１５】
請求項１２に記載の照明装置において、
前記電源回路から供給された直流電流を交流電流に変換する点灯回路を備え、
前記光源ランプが前記点灯回路から供給される交流電流で点灯する、照明装置。
【請求項１６】
請求項１５に記載の照明装置において、
前記点灯回路は、前記制御信号に応じて前記光源ランプに供給する交流電流のピーク値が変化するインバータ回路を含む、照明装置。
【請求項１７】
請求項１２、１４、１５、１６のいずれかに記載の照明装置において、
前記光源ランプが蛍光ランプである、照明装置。
【請求項１８】
請求項１３に記載の照明装置において、
前記光源ランプがＬＥＤである、照明装置。
【発明の詳細な説明】
【技術分野】
【０００１】
本発明は、リモートコントロールで照明装置の点灯動作を制御する照明システムと、その照明システムを構成する照明装置に関する。
【背景技術】
【０００２】
白熱ランプが点灯する照明システムには、送信器を用いることで白熱ランプの点灯動作をリモートコントロールできるものが提案されており、例えば特許文献１（特開平５−４７４７６号公報）に開示されている。
【０００３】
特許文献１に記載の照明システムは、配線ダクトに吊り下げられる複数の照明装置（照明器具）と、商用電源から供給される交流電流を直流電流に変換し、各照明装置に対して直流電流を一括して供給する直流電源と、照明装置の点灯動作を制御する制御信号を送信する送信器と、を有する。
【０００４】
各照明装置は、白熱ランプおよび制御部をそれぞれ有する。
【０００５】
制御部は、受信部と、チャンネルスイッチと、ＣＰＵ（Central Processing Unit）と、を有する。受信部は、送信器からの制御信号を受信する。チャンネルスイッチは、受信部が受信する制御信号の受信チャネル（周波数）を選択する。ＣＰＵは、受信部が受信した制御信号に基づいて白熱ランプの点灯動作を制御する。
【０００６】
送信器は、チャンネルスイッチを備え、チャンネルスイッチで選択されたチャンネルにより制御信号を送信する。
【０００７】
特許文献１に記載の照明システムでは、送信器が自身のチャンネルスイッチで選択されたチャンネルにより制御信号を送信すると、複数の照明装置のうち、送信器が送信した制御信号の受信チャンネルが自身のチャンネルスイッチで選択されている照明装置のみが、制御信号に基づいて白熱ランプの点灯動作を制御する。
【０００８】
特許文献１に記載の照明システムによれば、複数の照明装置の中から選択した照明装置の点灯動作をリモートコントロールすることが可能となる。
【特許文献１】特開平５−４７４７６号公報
【発明の開示】
【発明が解決しようとする課題】
【０００９】
近年、白熱ランプを備える照明装置のユーザの中には、消費電力を減らすために白熱ランプを蛍光ランプへ交換する人が増えている。消費電力の少ない蛍光ランプは交流電流で点灯するものが一般的である。
【００１０】
特許文献１に記載の照明システムでは、複数の照明装置に対して直流電流を一括して供給する直流電源により動作電流を供給する構成であるため、交流電流により点灯する蛍光ランプを使用することができない。また、制御部は直流電流で動作するものであるため、交流電流の供給を受けるソケットに取り付けられる場合には制御部が動作することができず、この点からも、蛍光ランプの点灯動作をリモートコントロールすることができない。
【００１１】
本発明は、交流電流の供給により、その点灯動作をリモートコントロールにて制御可能とする照明装置とこれによる照明システムを実現する技術を提供することを目的とする。
【課題を解決するための手段】
【００１２】
上記目的を達成するための本発明による照明システムは、
照明装置と、該照明装置の点灯動作を制御する制御信号を送信する送信器とを備えた照明システムであって、
前記照明装置は、
光源ランプと、
交流電流を直流電流に変換する電源回路と、
前記電源回路より直流電流の供給を受けて動作し、前記送信器からの制御信号を受信する受光部と、
前記電源回路より直流電流の供給を受けて動作し、前記受光部が受信した制御信号に応じて前記光源ランプの点灯動作を制御する点灯制御部と、を備える。
【００１３】
また、上記目的を達成するための本発明による照明装置は、
制御信号を送信する送信器とともに照明システムを構成する照明装置であって、
光源ランプと、
交流電流を直流電流に変換する電源回路と、
前記電源回路より直流電流の供給を受けて動作し、前記送信器からの制御信号を受信する受光部と、
前記電源回路より直流電流の供給を受けて動作し、前記受光部が受信した制御信号に応じて前記光源ランプの点灯動作を制御する点灯制御部と、を備える。
【発明の効果】
【００１４】
本発明によれば、交流電流が電源回路に供給されると、電源回路は交流電流を直流電流に変換して受光部および点灯制御部へ供給する。受光部は送信器からの制御信号を受信でき、点灯制御部は受光部が受信した制御信号に応じて光源ランプの点灯動作を制御できる。これにより、交流電流が供給されるソケットに本発明による照明装置を取り付けるだけで、その点灯動作をリモートコントロールすることが可能となる。
【発明を実施するための最良の形態】
【００１５】
本実施形態の照明システムについて、図面を参照しながら説明する。
【００１６】
図１は、本発明による照明システムの一実施形態の構成を示すブロック図である。
【００１７】
本実施形態の照明システムは、図１に示すように、照明装置１と、照明装置１の点灯動作を制御する制御信号を送信する送信器２とを有する。
【００１８】
まず、照明装置１について説明する。
【００１９】
図２は、照明装置１の構成を示す図である。
【００２０】
照明装置１は、図２に示すように、口金１１と、フランジ１２と、発光管１３と、グローブ１４と、回路基板１５と、受光部１６と、を有する。
【００２１】
口金１１は、交流電流が供給されるソケットへ照明装置１を取り付ける金具である。
【００２２】
フランジ１２は、回路基板１５、受光部１６を収納する筐体であり、口金１１と発光管１３の間に設けられる。なお、フランジ１２には、受光部１６が送信器２からの制御信号を受信できるように受信用窓１７が設けられている。
【００２３】
発光管１３は、交流電流で点灯する蛍光ランプである。
【００２４】
グローブ１４は、発光管１３より発せられた光を透過する材料（例えばガラス）を電球形に加工したものであり、発光管１３を覆うようにフランジ１２に取り付けられる。
【００２５】
回路基板１５は、照明装置１の点灯動作を制御する回路を備える。ここで、回路基板１５が備えた回路について、図３を参照して説明する。
【００２６】
図３は、照明装置１の点灯動作を制御する回路の一例を示す回路図である。回路基板１５には、電源回路３１および点灯制御部３２とで構成される回路が形成される。
【００２７】
電源回路３１は、照明装置１の外部に設けられた交流電源１００からの交流電流を直流電流に変換して点灯制御部３２および受光部１６へ供給する。
【００２８】
点灯制御部３２は、電源回路３１より直流電流の供給を受けて動作するものであり、信号処理回路３３と、マイクロコンピュータ３４と、点灯回路３５と、を有する。
【００２９】
信号処理回路３３は、制御信号３６が受光部１６を通じて入力されると、制御信号３６をデジタル信号に変換してマイクロコンピュータ３４へ出力する。
【００３０】
マイクロコンピュータ３４は、信号処理回路３３より入力されたデジタル信号に基づいて点灯回路３５の動作を制御する。
【００３１】
点灯回路３５は、直流電流を交流電流に変換するインバータ回路であり、マイクロコンピュータ３４の制御に基づいて電源回路３１からの直流電流を交流電流に変換して発光管１３へ供給する。
【００３２】
受光部１６は、電源回路３１から直流電流の供給を受けて動作するものであり、送信器２からの制御信号を受信すると、受信した制御信号を信号処理回路３３へ出力する。なお、受光部１６は、フランジ１２の表面に設けられてもよい。この場合、受信用窓１７は不要となる。
【００３３】
次に、送信器２について説明する。
【００３４】
図４は、送信器２の構成を示すブロック図である。
【００３５】
送信器２は、図４に示すように、操作部２１と、発信制御部２１と、送信部２３と、を有する。
【００３６】
操作部２１は、ユーザの操作を受け付けて発信制御部２１を始動させる。
【００３７】
発信制御部２１は、操作部２１がユーザの操作を受け付けると、制御信号を生成して送信部２３へ出力する。なお、この制御信号には、照明装置１の点灯動作（点灯や消灯）を指示する旨が示されている。
【００３８】
送信部２３は、発信制御部２２から入力された制御信号を送信する。なお、送信部２３は、制御信号を無線信号として送信する。
【００３９】
次に、本実施形態の照明システムの動作について説明する。なお、ここでは、照明装置１は、図５に示すように、ソケット５１に取り付けられ、ガラスやプラスチックなどを加工して形成されたセード５２に覆われていることとする。そして、照明装置１には、商用電源から吊り下げコード５３を介して交流電流が供給されることとする。
【００４０】
送信器２において、操作部２１がユーザの操作を受け付けると、発信制御部２２が制御信号を生成して送信部２３より送信させる。
【００４１】
送信器２より制御信号が送信されたとき、照明装置１では、電源回路３１によって商用電源からの交流電流が直流電流に変換されて受光部１６および点灯制御部３２へ既に供給されている。そして、制御信号が受光部１６に受信されると、制御信号は信号処理回路３３でデジタル信号に変換されてマイクロコンピュータ３４へ入力される。
【００４２】
マイクロコンピュータ３４は、入力されたデジタル信号に基づいて点灯回路３５の動作を制御する。点灯回路３５は、マイクロコンピュータ３４の制御に基づいて、発光管１３へ交流電流を供給する。
【００４３】
本実施形態では、照明装置１に交流電流が供給されたとき、電源回路３１によって交流電流が直流電流に変換されて受光部１６および点灯制御部３２に供給される。これにより、受光部１６は、送信器２より送信される制御信号を受信でき、点灯制御部３２は、点灯動作を制御できる。本実施形態によれば、ユーザは送信器２を用いることで蛍光ランプの点灯動作をリモートコントロールできる。
【００４４】
なお、本実施形態における、点灯回路３５を、発光管１３へ供給する交流電流のピーク値を変化できるインバータ回路を含むものとし、マイクロコンピュータ３４が制御信号に応じて発光管１３に供給する交流電流のピーク値を変化させることとしてもよい。この場合、照明装置１の調光動作をリモートコントロールできるようになる。
【００４５】
なお、本発明では、照明装置の数は一台に限定されず複数であってもよい。照明装置の数が複数の場合、各照明装置および送信器が、リモートコントロールする照明装置を選択するチャンネル切り替えスイッチを備えてもよい。
【００４６】
図６は、チャンネル切り替えスイッチを備える照明装置の構成の一例を示す図である。なお、照明装置１と同様な構成については、同一の符号を付し、詳細な説明は省略する。
【００４７】
図６に示す照明装置６は、図２に示す照明装置１にチャンネル切り替えスイッチ６１を新たな構成として追加したものである。
【００４８】
チャンネル切り替えスイッチ６１は、受光部１６が受信する制御信号のチャンネル（周波数）をユーザに選択させるスイッチであり、フランジ１２の表面に設けられる。チャンネル切り替えスイッチ６１では、ユーザは周波数が互いに異なる２つのチャンネルのどちらかを選択できる。
【００４９】
送信器２にチャンネル切り替えスイッチが設けられている場合、操作部２１がユーザの操作を受け付けると、発信制御部２２は送信器２のチャンネル切り替えスイッチで選択されたチャンネルで制御信号を送信部２３より送信させる。
【００５０】
ここで、チャンネル切り替えスイッチが照明装置および送信器に設けられている照明システムの動作について説明する。
【００５１】
なお、ここでは、図７に示すように、三台の照明装置６が、セード７１、７２、７３にそれぞれ覆われて、ダクトレール７４から吊り下げられていることにする。そして、各照明装置には、商用電源からダクトレール７４を介して交流電流が一括して供給されることとする。
【００５２】
図７に示す送信器２において、操作部２１がユーザの操作を受け付けると、発信制御部２２は、チャンネル切り替えスイッチ２４で選択されたチャンネルにより制御信号を送信部２３より送信させる。すると、制御信号は、チャンネル切り替えスイッチ６１で受信チャンネルが選択された照明装置６で受信される。制御信号を受信した照明装置６では、マイクロコンピュータ３４が制御信号に基づいて点灯回路３５の動作を制御する。点灯回路３５は、マイクロコンピュータ３４の制御に基づいて発光管１３へ交流電流を供給する。
【００５３】
例えば、送信器２が制御信号を送信する前の照明装置６が三台とも消灯状態であり、セード７１に覆われた照明装置６およびセード７２に覆われた照明装置６において制御信号の受信チャンネルが設定されているとする。このとき、送信器２より点灯を指示する旨の制御信号が送信されると、セード７１に覆われた照明装置６およびセード７２に覆われた照明装置６は点灯し、セード７３に覆われた照明装置６は消灯状態を維持する。
【００５４】
照明装置および送信器のそれぞれに上述したチャンネル切り替えスイッチが設けられていると、照明装置が複数の場合、チャンネル切り替えスイッチでチャンネルを切り替えることによって、調光を行うことが可能となる。
【００５５】
なお、本発明では、上述したチャンネル切り替えスイッチは、３つ以上のチャンネルを切り替え可能であってもよい。この場合も、送信器のチャンネル切り替えスイッチで選択されたチャンネルで制御信号が送信され、その制御信号の受信チャンネルが選択されている照明装置が、制御信号を受信して点灯動作を制御する。チャンネルの数が増えると、照明装置の数を増やして多様な調光を行うことが可能となる。
【００５６】
また、本発明では、照明装置の形状は、電球形に限定されるものではなく、例えば、図８に示すように、輪形であってもよい。照明装置の形状が変わっても、照明装置の各構成の動作は同じであるため、点灯動作をリモートコントロールすることは可能である。
【００５７】
また、本発明の照明装置を、図７に示すようなダクトレール型の照明装置だけでなく、図９に示すようなシャンデリア型の照明装置に適用することにしてもよい。この場合も、各照明装置および送信器のそれぞれに上述したチャンネル切り替えスイッチを設けることで、調光することが可能となる。
【００５８】
また、本発明では、電源回路に供給される交流電流で点灯する光源ランプを蛍光ランプの代わりに用いることとしてもよい。この場合でも、電源回路より受光部および点灯制御部へ直流電流を供給することは可能であるため、光源ランプの点灯動作は送信器からの制御信号で制御できる。したがって、照明装置の点灯動作をリモートコントロールできる。
【００５９】
また、本発明では、点灯回路は電源回路から受光部に供給される直流電流を交流電流に変換するものとし、点灯回路が供給する交流電流で点灯する光源ランプを用いることとしてもよい。この場合でも、電源回路より受光部および点灯制御部へ直流電流を供給することは可能であり、これにより、光源ランプの点灯動作は送信器からの制御信号で制御できる。したがって、照明装置の点灯動作をリモートコントロールできる。
【００６０】
また、本発明では、電源回路から供給される直流電流で点灯する光源ランプを用いることとしてもよい。この場合、例えば、光源ランプにＬＥＤ（Light Emitting Diode）を用いることが可能となる。
【図面の簡単な説明】
【００６１】
【図１】本発明の照明システムの一実施形態の構成を示すブロック図である。
【図２】本発明の照明システムにおける照明装置の構成を示す図である。
【図３】本発明の照明装置の点灯動作を制御する回路の一例を示す回路図である。
【図４】本発明の照明システムにおいて、送信器の構成を示すブロック図である。
【図５】本発明の照明システムにおける照明装置および送信器の外形の一例を示す図である。
【図６】本発明の照明システムにおいて、チャンネル切り替えスイッチを有する照明装置の構成の一例を示す図である。
【図７】本発明の照明システムにおける照明装置および送信器の外形の一例を示す図である。
【図８】本発明の照明システムにおいて、輪形の照明装置の一例を示す図である。
【図９】本発明の照明システムにおける照明装置および送信器の外形の一例を示す図である。
【符号の説明】
【００６２】
１、６  照明装置
２  送信器
１１  口金
１２  フランジ
１３  発光管
１４  グローブ
１５  回路基板
１６  受光部
１７  受信用窓
２１  操作部
２２  発信制御部
２３  送信部
２４、６１  チャンネル切り替えスイッチ
３１  電源回路
３２  点灯制御部
３３  信号処理回路
３４  マイクロコンピュータ
３５  点灯回路
【図１】
2009187871.tif 000003
【図２】
2009187871.tif 000004
【図３】
2009187871.tif 000005
【図４】
2009187871.tif 000006
【図５】
2009187871.tif 000007
【図６】
2009187871.tif 000008
【図７】
2009187871.tif 000009
【図８】
2009187871.tif 000010
【図９】
2009187871.tif 000011